(57)【特許請求の範囲】
【請求項１】
下記一般式［１］
0004577747.tif 000013
（式中、Ｒ１〜Ｒ３は夫々独立して水素原子又は水酸基を有していてもよいアルキル基を示し、Ｒ４はアルキレン基を示す。）で表される基を側鎖に有するモノマーに由来するモノマー単位と、メタクリル酸又はアラルキルメタクリレート、アクリルアミド又はそのＮ置換体、或いは、メタクリルアミド又はそのＮ置換体から選ばれるモノマーに由来するモノマー単位を有するコポリマーを含んでなる、免疫学的測定法用凝集促進剤。
【請求項２】
一般式［１］で表される基を側鎖に有するモノマーが、下記一般式［２］
0004577747.tif 000014
（式中、Ｒ５は、置換基を有していてもよく且つ鎖中に酸素原子を有していてもよいアルキレン基を示し、Ｒ６は水素原子又はメチル基を示し、Ｘは酸素原子又は−ＮＨ−基を示し、Ｒ１〜Ｒ４は前記に同じ。）で表されるモノマーである、請求項１記載の促進剤。
【請求項３】
メタクリル酸又はアラルキルメタクリレート、アクリルアミド又はそのＮ置換体、或いは、メタクリルアミド又はそのＮ置換体から選ばれるモノマーが、アラルキルメタクリレートである、請求項１又は２に記載の促進剤。
【請求項４】
メタクリル酸又はアラルキルメタクリレート、アクリルアミド又はそのＮ置換体、或いは、メタクリルアミド又はそのＮ置換体から選ばれるモノマーが、Ｎ−アルキルアクリルアミド又はＮ−アラルキルアクリルアミドである、請求項１又は２に記載の促進剤。
【請求項５】
メタクリル酸又はアラルキルメタクリレート、アクリルアミド又はそのＮ置換体、或いは、メタクリルアミド又はそのＮ置換体から選ばれるモノマーが、Ｎ−アルキルメタクリルアミド又はＮ−アラルキルメタクリルアミドである、請求項１又は２に記載の促進剤。
【請求項６】
下記一般式［１］
0004577747.tif 000015
（式中、Ｒ１〜Ｒ３は夫々独立して水素原子又は水酸基を有していてもよいアルキル基を示し、Ｒ４はアルキレン基を示す。）で表される基を側鎖に有するモノマーに由来するモノマー単位と、メタクリル酸又はアラルキルメタクリレート、アクリルアミド又はそのＮ置換体、或いは、メタクリルアミド又はそのＮ置換体から選ばれるモノマーに由来するモノマー単位を有するコポリマーの存在下に抗原抗体反応を行わせることを特徴とする免疫学的測定法。
【請求項７】
一般式［１］で表される基を側鎖に有するモノマーが、下記一般式［２］
0004577747.tif 000016
（式中、Ｒ５は、置換基を有していてもよく且つ鎖中に酸素原子を有していてもよいアルキレン基を示し、Ｒ６は水素原子又はメチル基を示し、Ｘは酸素原子又は−ＮＨ−基を示し、Ｒ１〜Ｒ４は前記に同じ。）で表されるモノマーである、請求項６記載の測定法。
【請求項８】
メタクリル酸又はアラルキルメタクリレート、アクリルアミド又はそのＮ置換体、或いは、メタクリルアミド又はそのＮ置換体から選ばれるモノマーが、アラルキルメタクリレートである、請求項６又は７に記載の測定法。
【請求項９】
メタクリル酸又はアラルキルメタクリレート、アクリルアミド又はそのＮ置換体、或いは、メタクリルアミド又はそのＮ置換体から選ばれるモノマーが、Ｎ−アルキルアクリルアミド又はＮ−アラルキルアクリルアミドである、請求項６又は７に記載の測定法。
【請求項１０】
メタクリル酸又はアラルキルメタクリレート、アクリルアミド又はそのＮ置換体、或いは、メタクリルアミド又はそのＮ置換体から選ばれるモノマーが、Ｎ−アルキルメタクリルアミド又はＮ−アラルキルメタクリルアミドである、請求項６又は７に記載の測定法。
【請求項１１】
請求項１〜５の何れかに記載の凝集促進剤を含んでなる免疫学的測定法用試薬。
【請求項１２】
測定対象物質が、Ｃ反応性蛋白質（ＣＲＰ）、リウマチ因子（ＲＦ）又は前立腺特異抗原（ＰＳＡ）である請求項１１に記載の試薬。
【発明の詳細な説明】
【０００１】
【産業上の利用分野】
本発明は、免疫学的測定法に於ける凝集促進剤、当該凝集促進剤共存下に行う免疫学的測定法並びに当該凝集促進剤を含有してなる免疫学的測定法用試薬に関する。
【０００２】
【従来の技術】
抗原又は抗体を適当な担体上に固定化し、これと、例えば血清、血漿、尿等の生体由来試料とを混合して凝集が生じるか否かを見ることによる、試料中測定対象物質の存在の確認又は濃度の測定方法、或いは抗原抗体反応により生ずる濁りに基づいた試料中測定対象物質の存在の確認又は濃度の測定方法等は、いわゆる免疫学的測定法として知られている測定法である。
【０００３】
このような抗原抗体反応に起因する凝集や濁りを測定する場合には、通常いわゆる凝集促進剤と呼ばれる各種化合物が使用される。この凝集促進剤は、抗原抗体反応に基づく凝集をより生じさせやすくする作用を有するものであり、このような凝集促進剤としては、例えばポリエチレングリコール、デキストラン、カルボキシメチルセルロース、ヒドロキシエチルセルロース等が知られており、中でもポリエチレングリコールがよく用いられている。
しかしながら、このポリエチレングリコールは、塩濃度の高い溶液中では塩析されるため、このような溶液を免疫学的測定法用試液として用いると試薬盲検値（ブランク値）が高くなり測定精度が悪くなるという問題があった。
【０００４】
一方、近年、抗原抗体反応に基づく凝集や濁りを利用して、より高感度に試料中の測定対象物質を測定しようとする傾向が見られており、従来使用されてきたポリエチレングリコールに比較して、凝集促進効果が同等若しくはそれ以上で、非特異的な濁りが生じ難く、且つ塩濃度の高い溶液中でも塩析され難い凝集促進剤の開発が求められている。
【０００５】
【課題を解決するための手段】
本発明は、このような現状に鑑みなされたもので、従来公知の凝集促進剤に比較して、凝集促進効果が同等若しくはそれ以上で、非特異的な濁りが生じ難く、且つ塩濃度の高い溶液中でも塩析され難いものを提供することを目的とするものであり、その手段として以下のものを提供するものである。
【０００６】
（１）下記一般式［１］
0004577747.tif 000002
（式中、Ｒ１〜Ｒ３は夫々独立して水素原子又は水酸基を有していてもよいアルキル基を示し、Ｒ４はアルキレン基を示す。）
で表される基を側鎖に有するポリマーを含んでなる免疫学的測定法用凝集促進剤。
【０００７】
（２）下記一般式［１］
0004577747.tif 000003
【０００８】
（式中、Ｒ１〜Ｒ３は夫々独立して水素原子又は水酸基を有していてもよいアルキル基を示し、Ｒ４はアルキレン基を示す。）
で表される基を側鎖に有するポリマーの存在下に抗原抗体反応を行わせることを特徴とする免疫学的測定法。
【０００９】
（３）上記（１）に記載の凝集促進剤を含んでなる免疫学的測定法用試薬。
【００１０】
即ち、本発明者等は、免疫学的測定法に於ける、公知の凝集促進剤に比較して、凝集促進効果が同等若しくはそれ以上で、非特異的な濁りが生じ難く、且つ塩濃度の高い溶液中でも塩析され難いものを見出すべく鋭意研究の結果、上記一般式［１］で示される、ホスホベタイン構造を有する基を側鎖に有するポリマー（以下、本発明のポリマーと略記する場合がある）が目的の性能を有していることを見出し、本発明を完成するに至った。
【００１１】
本発明に於いて、凝集促進剤として用いられるポリマーは、上記一般式［１］で表される基を側鎖に有するものであればよく、ホモポリマーでもコポリマーでも特に限定されないが、通常分子量が10,000〜1,000,000、好ましくは10,000〜500,000、より好ましくは50,000〜500,000である。
より具体的には、下記一般式［２］
0004577747.tif 000004
【００１２】
（式中、Ｒ５は、置換基を有していてもよく且つ鎖中に酸素原子を有していてもよいアルキレン基を示し、Ｒ６は水素原子又はメチル基を示し、Ｘは酸素原子又は−ＮＨ−基を示し、Ｒ１〜Ｒ４は前記に同じ。）
で表されるモノマーに由来するモノマー単位を有するものが好ましく挙げられる。
【００１３】
上記一般式［１］又は［２］に於いて、Ｒ１〜Ｒ３で示される水酸基を有していてもよいアルキル基のアルキル基としては、直鎖状、分枝状、環状の何れでもよく、通常炭素数１〜６，好ましくは１〜４、より好ましくは１〜２，更に好ましくは１のものが挙げられ、具体的には、例えばメチル基、エチル基、n-プロピル基、イソプロピル基、n-ブチル基、イソブチル基、sec-ブチル基、tert-ブチル基、n-ペンチル基、イソペンチル基、sec-ペンチル基、tert-ペンチル基、n-ヘキシル基、イソヘキシル基、sec-ヘキシル基、tert-ヘキシル基、シクロプロピル基、シクロヘキシル基、シクロペンチル基等が挙げられ、好ましくはメチル基、エチル基等であり、より好ましくはメチル基等である。
【００１４】
また、水酸基を有するアルキル基としては、上記した如きアルキル基の水素原子の１〜２個、好ましくは１個が水酸基に置換したものが挙げられ、具体的には、例えばヒドロキシメチル基、ヒドロキシエチル基、ヒドロキシ-n-プロピル基、ヒドロキシイソプロピル基、ヒドロキシ-n-ブチル基、ヒドロキシ-イソブチル基、ヒドロキシ-sec-ブチル基、ヒドロキシ-tert-ブチル基、ヒドロキシ-n-ペンチル基、ヒドロキシ-イソペンチル基、ヒドロキシ-sec-ペンチル基、ヒドロキシ-tert-ペンチル基、ヒドロキシ-n-ヘキシル基、ヒドロキシ-イソヘキシル基、ヒドロキシ-sec-ヘキシル基、ヒドロキシ-tert-ヘキシル基、ヒドロキシ-シクロプロピル基、ヒドロキシ-シクロヘキシル基、ヒドロキシ-シクロペンチル基等が挙げられ、好ましくはヒドロキシメチル基、ヒドロキシエチル基等である。
【００１５】
Ｒ４で示されるアルキレン基としては、例えば炭素数１〜６、好ましくは２〜３のものが挙げられ、これらは直鎖状、分枝状、環状の何れでもよい。具体的には、例えばメチレン基、エチレン基、プロピレン基、トリメチレン基、ブチレン基、１−エチルエチレン基、２−メチルトリメチレン基、２−エチルトリメチレン基、へキシレン基、シクロプロピレン基、シクロブチレン基、シクロペンチレン基、シクロへキシレン基等が挙げられ、好ましくはエチレン基、プロピレン基、トリメチレン基等である。
【００１６】
一般式［２］に於いてＲ５で表される、置換基を有していてもよく且つ鎖中に酸素原子を有していてもよいアルキレン基において、酸素を有さない場合のアルキレン基としては、例えば炭素数１〜１０，好ましくは１〜６、より好ましくは２〜６のものが挙げられ、これらは直鎖状、分枝状、環状の何れでもよい。具体的には、例えばメチレン基、エチレン基、プロピレン基、トリメチレン基、ブチレン基、１−エチルエチレン基、２−メチルトリメチレン基、２−エチルトリメチレン基、へキシレン基、シクロプロピレン基、シクロブチレン基、シクロペンチレン基、シクロへキシレン基等が挙げられる。また、その置換基としては、例えば炭素数１〜６、好ましくは１〜３のアルコキシ基〔直鎖状、分枝状、環状の何れにてもよい。〕、より具体的には例えばメトキシ基、エトキシ基、n-プロポキシ基、イソプロポキシ基、n-ブトキシ基、イソブトキシ基、sec-ブトキシ基、tert-ブトキシ基、n-ペンチルオキシ基、イソペンチルオキシ基、sec-ペンチルオキシ基、tert-ペンチルオキシ基、n-ヘキシルオキシ基、イソヘキシルオキシ基、sec-ヘキシルオキシ基、tert-ヘキシルオキシ基、シクロプロポキシ基、シクロヘキシルオキシ基、シクロペンチルオキシ基等、例えばハロゲン原子、より具体的にはフッ素原子、塩素原子、臭素原子、ヨウ素原子等が挙げられ、好ましくはエチレン基、プロピレン基、トリメチレン基、ブチレン基等である。また、鎖中に酸素原子を有する場合、酸素原子としては１〜５個、好ましくは１〜３個であり、より具体的には−（Ｃ２Ｈ４Ｏ）ｎ−Ｃ２Ｈ４−（式中、ｎは１〜５の整数を表す。）等が挙げられる。
【００１７】
上記一般式［２］で表されるモノマーに由来するモノマー単位を有するポリマーがコポリマーである場合、上記一般式［２］で表されるモノマーに由来するモノマー単位以外のモノマー単位としては、例えばアクリル酸又はアクリル酸エステル、メタクリル酸又はメタクリル酸エステル、アクリルアミド又はそのＮ置換体、メタクリルアミド又はそのＮ置換体、或いはスチレン又はその誘導体から選ばれるモノマーに由来するものが挙げられる。尚、これらモノマー単位は、コポリマー中に２種類以上含まれていてもよい。
【００１８】
ここで、アクリル酸エステルとしては、アルキルアクリレート、アラルキルアクリレート等が、メタクリル酸エステルとしては、アルキルメタクリレート、アラルキルメタクリレート等が挙げられ、アクリルアミドのＮ置換体は、Ｎ−アルキルアクリルアミド又はＮ−アラルキルアクリルアミドであり、メタクリルアミドのＮ置換体は、Ｎ−アルキルメタクリルアミド又はＮ−アラルキルメタクリルアミドであり、スチレン誘導体としては、αーメチルスチレン、置換基を有するスチレン又はαーメチルスチレン等が挙げられる。
【００１９】
上記のアルキルアクリレート、アルキルメタクリレート、Ｎ−アルキルアクリルアミド及びＮ−アルキルメタクリルアミドに於けるアルキル基としては、直鎖状、分枝状、環状の何れでもよく、通常炭素数１〜６，より好ましくは、１〜４のものが挙げられ、具体的には、例えばメチル基、エチル基、n-プロピル基、イソプロピル基、n-ブチル基、イソブチル基、sec-ブチル基、tert-ブチル基、n-ペンチル基、イソペンチル基、sec-ペンチル基、tert-ペンチル基、n-ヘキシル基、イソヘキシル基、sec-ヘキシル基、tert-ヘキシル基、シクロプロピル基、シクロヘキシル基、シクロペンチル基等が挙げられる。このアルキル基は置換基を有していてもよく、置換基としては例えばトリアルキルアンモニオ基（アルキル基としては、例えばメチル基、エチル基、プロピル基、イソプロピル基等の炭素数１〜３のものが挙げられる。尚、置換基としてトリアルキルアンモニオ基を有する場合、本置換基はプラスに荷電しているため、通常カウンターアニオンが結合しているが、このようなカウンターアニオンとしては、フッ素イオン、塩素イオン、臭素イオン、ヨウ素イオン等のハロゲン化物イオン等が挙げられる。）等が挙げられる。
【００２０】
また、アラルキルアクリレート、アラルキルメタクリレート、Ｎ−アラルキルアクリルアミド及びＮ−アラルキルメタクリルアミドに於けるアラルキル基としては、炭素数７〜１０のものが挙げられ、具体的には、例えばベンジル基、フェニルエチル基、フェニルプロピル基、フェニルブチル基等が挙げられる。
【００２１】
スチレン若しくはα−メチルスチレンが有していてもよい置換基としては、例えば直鎖状、分枝状、環状の、通常炭素数１〜６，より好ましくは１〜４のアルキル基（具体的には、例えばメチル基、エチル基、n-プロピル基、イソプロピル基、n-ブチル基、イソブチル基、sec-ブチル基、tert-ブチル基、n-ペンチル基、イソペンチル基、sec-ペンチル基、tert-ペンチル基、n-ヘキシル基、イソヘキシル基、sec-ヘキシル基、tert-ヘキシル基、シクロプロピル基、シクロヘキシル基、シクロペンチル基等）、例えば直鎖状、分枝状、環状の、通常炭素数１〜６，より好ましくは１〜４のアラルキル基（具体的には、例えばメトキシ基、エトキシ基、n-プロポキシ基、イソプロポキシ基、n-ブトキシ基、イソブトキシ基、sec-ブトキシ基、tert-ブトキシ基、n-ペンチルオキシ基、イソペンチルオキシ基、sec-ペンチルオキシ基、tert-ペンチルオキシ基、n-ヘキシルオキシ基、イソヘキシルオキシ基、sec-ヘキシルオキシ基、tert-ヘキシルオキシ基、シクロプロポキシ基、シクロヘキシルオキシ基、シクロペンチルオキシ基等）、例えばフッ素原子、塩素原子、臭素原子、ヨウ素原子等のハロゲン原子、カルボキシル基、ヒドロキシ基、アミノ基等が挙げられる。
【００２２】
これらモノマーの具体例としては、例えばメタクリル酸、メタクリル酸メチル，メタクリル酸エチル，メタクリル酸プロピル，メタクリル酸ブチル，メタクリル酸2-エチルヘキシル，メタクリル酸ラウリル，メタクリル酸ステアリル、メタクリル酸2-トリメチルアンモニオエチル、メタクリル酸ベンジル、メタクリル酸フェニルエチル、アクリル酸、アクリル酸メチル，アクリル酸エチル，アクリル酸ブチル，アクリル酸2-エチルヘキシル，アクリル酸ラウリル，アクリル酸ステアリル、アクリル酸2-トリメチルアンモニオエチル、アクリル酸ベンジル、アクリル酸フェニルエチル、アクリルアミド、Ｎ−メチルアクリルアミド，Ｎ−エチルアクリルアミド，Ｎ−ブチルアクリルアミド，Ｎ−2-エチルヘキシルアクリルアミド，Ｎ−ラウリルアクリルアミド，Ｎ−ステアリルアクリルアミド、Ｎ−2-トリメチルアンモニオエチルアクリルアミド、Ｎ−ベンジルアクリルアミド、Ｎ−フェニルエチルアクリルアミド、メタクリルアミド、Ｎ−メチルメタクリルアミド，Ｎ−エチルメタクリルアミド，Ｎ−ブチルメタクリルアミド，Ｎ−2-エチルヘキシルメタクリルアミド，Ｎ−ラウリルメタクリルアミド，Ｎ−ステアリルメタクリルアミド、Ｎ−2-トリメチルアンモニオエチルメタクリルアミド、Ｎ−ベンジルメタクリルアミド、Ｎ−フェニルエチルメタクリルアミド、スチレン、カルボキシスチレン、ヒドロキシスチレン、アミノスチレン、メチルスチレン、エチルスチレン、メトキシスチレン、エトキシスチレン、クロロスチレン、ブロモスチレン、α−メチルスチレン、α−メチル−カルボキシスチレン、α−メチル−ヒドロキシスチレン、α−メチル−アミノスチレン、α−メチル−メチルスチレン、α−メチル−エチルスチレン、α−メチル−メトキシスチレン、α−メチル−エトキシスチレン、α−メチル−クロロスチレン、α−メチル−ブロモスチレン、N,N,N-トリエチルアンモニウムエチルメタクリレートブロミド、N,N,N-トリメチルアンモニウムエチルメタクリレートクロリド、N,N,-ジエチル−Ｎ−プロピルアンモニウムエチルメタクリレートブロミド、N,N,N-トリメチルアンモニウム−２−ヒドロキシプロピルメタクリレートクロリド（ＱＭ）、N,N,N-トリメチルアンモニウムメチルスチレンブロミド等が挙げられ、中でもメタクリル酸、メタクリル酸ステアリル、メタクリル酸ベンジル、メタクリル酸ブチル、N,N,N-トリメチルアンモニウム−２−ヒドロキシプロピルメタクリレートクロリド（ＱＭ）等が好ましい。
【００２３】
尚、共重合体における、一般式［２］で示されるモノマーに由来するモノマー単位の比率は、通常２０％以上１００％未満であり、好ましくは３０〜９５％であり、より好ましくは３０〜９０％である。
【００２４】
本発明に係る一般式［１］で示される基を側鎖に有するモノマーに由来するモノマー単位を有するポリマーは、市販されているものを用いてもよいし、例えば特開平１０−４５７９４号公報、特開２０００−２３９６９６号公報等に記載された方法に準じて合成されたものを用いてもよい。
【００２５】
本発明の凝集促進剤は、上記した如き、一般式［１］で示される基を側鎖に有するモノマーに由来するモノマー単位を有するポリマーを含有するものであり、例えば免疫比濁法、免役比ろう法、ラテックス凝集法等の抗原抗体反応に由来する凝集等に基づいて測定対象物質の測定を行う自体公知の免疫学的測定法に於いて用いられる各種試薬（通常、溶液である）に適宜溶解させて用いられ、好ましくは、免疫比濁法又はラテックス凝集法で用いられる試薬に溶解させて用いられ、より好ましくは、ラテックス凝集法で用いられる試薬に溶解させて用いられる。上記の各種試薬で用いられる凝集促進剤の使用濃度としては、抗原抗体反応を行わせる際の反応液中の濃度として、通常０．１〜２０W/V％、好ましくは０．１〜１０W/V％、より好ましくは０．１〜５W/V％となるように用いられる。
【００２６】
本発明に係わる免疫学的測定法に用いられる試薬は、本発明の凝集促進剤以外に、例えば、測定対象成分が抗原の時は抗体若しくは該抗体を担持した適当な担体（例えばラテックス等）を、測定対象成分が抗体の時は抗原若しくは該抗原を担持した適当な担体（例えばラテックス等）を含有するものである。また、該反応試薬中には、緩衝剤（例えばトリス緩衝剤、リン酸緩衝剤、ベロナール緩衝剤、ホウ酸緩衝剤、グッド緩衝剤等）、安定化剤（例えばアルブミン、グロブリン、水溶性ゼラチン、界面活性剤、糖類等）、防腐剤（例えばサリチル酸、安息香酸、アジ化ナトリウム等）、その他この分野で用いられているものであって、共存する試薬等の安定性を阻害したり、抗原抗体反応を阻害しないものを有していてもよい。またその使用濃度も、通常この分野で通常用いられる濃度範囲で用いればよい。
【００２７】
また、本発明の測定法を実施するには、抗原抗体反応を行わせる際に、本発明に係る、上記一般式［１］で示される基を側鎖に有するポリマーを上記した如き濃度共存させて行う以外は、例えば免疫比濁法、免疫比ろう法、ラテックス凝集法等の、抗原抗体反応に由来する凝集等に基づいて測定対象物質の測定を行う自体公知の免疫学的測定法に於いて用いられる各種試薬を用い、自体公知の操作法に準じて行えばよい。
【００２８】
本発明の測定方法に於いて用いることのできる緩衝剤としては、例えばトリス緩衝剤、リン酸緩衝剤、ベロナール緩衝剤、ホウ酸緩衝剤、グッド緩衝剤等通常免疫比濁法、免疫比ろう法に用いられている緩衝剤は全て挙げられ、測定反応時のｐＨとしては抗原抗体反応を抑制しない範囲であれば特に限定されないが、通常６〜１０の範囲から好ましく選択される。散乱光を測定する方法（比ろう法）は、例えば金原出版株式会社，臨床検査法提要，第30版,第2刷，p.851-853(1993)，等に記載された方法に準じて行えばよく、また、透過光を測定する方法（免疫比濁法）は、例えば同じく金原出版株式会社，臨床検査法提要，第30版,第2刷，p.853-854(1993)等に記載された方法に準じて行えばよく、更にまた、測定対象物質に対する抗体又は抗原を感作させたラテックスの凝集の程度を散乱光、透過光等の変化に基づいて測定しその結果に基づいて測定対象物質の測定を行うラテックス凝集法は、例えば免疫測定法の新しい活用事例と診断試薬・治療薬開発への応用（経営教育出版社）p.103-187等に記載された方法に準じて行えばよい。
【００２９】
また、比ろう法、免疫比濁法、ラテックス凝集法による散乱光又は透過光の測定は、自動分析装置、分光光度計等の生化学汎用機や、レーザーネフェロメーター等の比ろう測定用専用機等を用いて測定を行えば良く、詳しくは各機器のマニュアルに従えばよい。
【００３０】
本発明の測定法により測定可能な測定対象成分としては、抗原抗体反応を利用して測定可能な物であれば特に限定されないが、例えば血清、血漿、尿、リンパ、髄液等の生体由来試料中に含まれる、例えばＣ反応性蛋白質（ＣＲＰ）、免疫グロブリンＧ（ＩｇＧ）、免疫グロブリンＡ（ＩｇＡ）、免疫グロブリンＭ（ＩｇＭ）、ＡＳＯ（抗ストレプトリジンＯ価）、アルブミン、尿中微量アルブミン、補体Ｃ3、補体 Ｃ4、トランスフェリン、ハプトグロビン、α-フェトプロテイン（ＡＦＰ）、リウマチ因子（ＲＦ）、前立腺特異抗原（ＰＳＡ）等が挙げられ、中でも、Ｃ反応性蛋白質（ＣＲＰ）、リウマチ因子（ＲＦ）、前立腺特異抗原（ＰＳＡ）等が好ましい。。
【００３１】
また、本発明の免疫学的測定法用試薬も、上記一般式［１］で示される基を側鎖に有するポリマーを含有するものであり、望ましくは測定対象物質に対する抗原又は抗体或いはこれらが固定化された例えばラテックス等の担体を含有するものであり、その構成要素の好ましい態様、具体例、使用濃度等は上で述べたとおりである。また、該試薬には、その他の試薬類、例えば安定化剤、緩衝剤、防腐剤等は、目的の測定に於いて通常使用されるものを含有していても良く、その濃度は通常用いられる濃度範囲から適宜選択される。
【００３２】
以下実施例によって本発明を説明するが、本発明はこれによって限定されるものでない。
【００３３】
【実施例】
合成例１  2-メタクリロイルオキシエチルホスホリルコリン（ＭＰＣ）及びn-ブチルメタクリレート（ＢＭＡ）の共重合体（８：２）の合成
ＭＰＣ4.7ｇ(16mM)とＢＭＡ0.57ｇ（４mM）を重合用ガラス反応管に入れ、更に該反応管に重合開始剤として２,２’−アゾビスイソブチロニトリル（ＡＩＢＮ）0.03ｇ及び重合溶媒としてメタノール20mlを加えた。反応管内を充分にアルゴン置換した後、密封した。次いで、24時間60℃で、重合反応を行った。得られた反応混合物を氷冷した後、400mlのジエチルエーテルに滴下することによりポリマーを沈殿させた。該沈殿物を濾別し、ジエチルエーテルで充分洗浄した後、減圧乾燥して白色粉末状の重合体を得た。得られた重合体をポリマー１とした。
尚、ポリマー１の分子量は600000であった。
【００３４】
合成例２  ＭＰＣ／ＢＭＡ共重合体（５：５）の合成
用いるＭＰＣとＢＭＡのモル比が５：５となるように合計20mM使用した以外は、上記合成例１と同様に合成を行い、ポリマー２を得た。尚、ポリマー２の分子量は338000であった。
【００３５】
合成例３  ＭＰＣ／ＢＭＡ共重合体（３：７）の合成
用いるＭＰＣとＢＭＡのモル比が３：７となるように合計20mM使用した以外は、上記合成例１と同様に合成を行い、ポリマー３を得た。尚、ポリマー３の分子量は92000であった。
【００３６】
合成例４  ＭＰＣ／ステアリルメタクリレート共重合体（９：１）の合成
ＢＭＡの代わりにステアリルメタクリレートを用い、ＭＰＣとステアリルメタクリレートのモル比が９：１となるように合計20mM使用した以外は、上記合成例１と同様に合成を行い、ポリマー４を得た。尚、ポリマー４の分子量は130000であった。
【００３７】
合成例５  ＭＰＣ／ベンジルメタクリレート共重合体（８：２）の合成
ＢＭＡの代わりにベンジルメタクリレートを用い、ＭＰＣとベンジルメタクリレートのモル比が８：２となるように合計20mM使用した以外は、上記合成例１と同様に合成を行い、ポリマー５を得た。尚、ポリマー５の分子量は240000であった。
【００３８】
合成例６  ＭＰＣのホモポリマーの合成
ＭＰＣ5.9ｇ（20mM）を重合用ガラス反応管入れ、これに重合開始剤としての２,２’−アゾビスイソブチロニトリル（ＡＩＢＮ）0.03ｇ及び重合溶媒としてのメタノール20mlを加えた。次いで、該反応管内を充分にアルゴン置換した後、密封し、50℃で24時間重合反応を行った。反応混合物を氷冷した後、400mlのジエチルエーテルに滴下することによりポリマーを沈殿させた。得られた沈殿物を濾別し、ジエチルエーテルで充分洗浄した後、減圧乾燥して白色粉末状の重合体を得た。得られた重合体をポリマー６とした。尚、ポリマー６の分子量は110000であった。
【００３９】
合成例７  ＭＰＣ／ＱＭ共重合体（９：１）の合成
ＢＭＡの代わりにＱＭを用い、ＭＰＣとＱＭのモル比が９：１となるように合計20mM使用した以外は、上記合成例１と同様に合成を行い、ポリマー７を得た。
尚、ポリマー７の分子量は33000であった。
【００４０】
合成例８  ＭＰＣ／メタクリル酸共重合体（３：７）の合成
ＢＭＡの代わりにメタクリル酸を用い、ＭＰＣとメタクリル酸のモル比が３：７となるように合計20mM使用した以外は、上記合成例１と同様に合成を行い、ポリマー８を得た。尚、ポリマー８の分子量は288000であった。
【００４１】
実施例１  ラテックス免疫比濁法（ＬＩＡ）によるＣＲＰの測定
(1)抗ヒトＣＲＰ抗体感作ラテックス試液の調製
抗ヒトＣＲＰ山羊ポリクローナル抗体（International Immunology Corp.製）1.1mgを含む50mMホウ酸緩衝液（pH7.1）２mlと、ポリスチレンラテックス（粒径0.12μm、積水化学工業（株）製）を1%（W/V）含むように懸濁させた50mMホウ酸緩衝液（pH7.1）１mlとを混合し、30℃で２時間反応させた。その後、遠心分離により分離したラテックスを50mMホウ酸緩衝液（pH7.1）で洗浄し、該ラテックスを濃度が0.2％（W/V）となるように、牛血清アルブミン（ＢＳＡ)を0.5％（W/V）含有する50mMホウ酸緩衝液（pH7.3）中で懸濁した。得られた懸濁液を、抗ヒトＣＲＰ抗体感作ラテックス試液とした。
【００４２】
(2)試料
生理食塩水（0.85％ＮａＣｌ、ＣＲＰ濃度：０mg/dL）を試薬盲検測定用試料とし、ＣＲＰキャリブレーターセット（ＣＲＰ濃度：３mg/dL、和光純薬工業（株）製）を生理食塩水（0.85％ＮａＣｌ）で、１０段階希釈したものをＣＲＰ特異的吸光度測定用試料とした。
【００４３】
(3)試薬
▲１▼第１試液
凝集促進剤として先に合成したポリマー１、ポリマー５、ポリマー６を用い、所定濃度の所定ポリマー、0.1％ＢＳＡ及び１％ＮａＣｌを含む100ｍＭ  ＨＥＰＥＳ−ＮａＯＨ緩衝液（ｐＨ7.0）を、また、凝集促進剤無添加試薬として、0.1％ＢＳＡ及び１％ＮａＣｌを含む100ｍＭ  ＨＥＰＥＳ−ＮａＯＨ緩衝液（ｐＨ7.0）を、第１試液とした。
▲２▼第２試液
上記(1)で調製した抗ヒトＣＲＰ抗体感作ラテックス試液を第２試液とした。
【００４４】
(4)測定方法
日本電子（株）製ＢＭ−８形自動分析装置を用い、以下の測定条件で測定を行った。
試  料  ：1.25μｌ
第１試液：  75μｌ
第２試液：  25μｌ
測定方法：２ポイントエンド法（34−65）
主波長  ：571ｎｍ
【００４５】
(5)結果
得られた吸光度（濁度）を表１に示した。尚、表中の値は、得られた吸光度から試薬盲検測定用試料を測定して得られた値（試薬盲検値）を減算したものを10000倍にしたものである。
【００４６】
比較例１
本発明のポリマーの代わりに、凝集促進剤として汎用されているＰＥＧ6000を所定濃度使用した以外は、実施例１と同じ試薬を用い、実施例１と同様の測定を行った。
結果を表１に、実施例１の結果と併せて示した。
【００４７】
【表１】
0004577747.tif 000005
【００４８】
表１の結果から明らかなように、いずれの本発明のポリマーに於いても凝集促進作用が認められた。また、比較例１のPEG6000の結果と比較すると、何れの本発明のポリマーもPEG6000よりも高い凝集促進作用を示し、特にポリマー１及びポリマー５は高い効果を示すことが分かる。
【００４９】
実施例２  ＬＩＡによるヒト血清中ＣＲＰの測定
(1)試料
検体として、ヒト血清１２例を用いた。また、検量線作成用試料には、生理食塩水（0.85％ＮａＣｌ）及びＣＲＰキャリブレーターセット（ＣＲＰ濃度：１、３、５、20、30mg/dL、和光純薬工業（株）製）を用いた。
【００５０】
(2)試薬
▲１▼第１試液
凝集促進剤としての0.5％所定ポリマー、0.1％ＢＳＡ及び１％ＮａＣｌを含む100ｍＭ  ＨＥＰＥＳ−ＮａＯＨ緩衝液（ｐＨ7.0）を第１試液とした。
▲２▼第２試液
実施例１(1)で調製された抗ヒトＣＲＰ抗体感作ラテックス試液を第２試液として用いた。
【００５１】
(3)測定方法
日本電子（株）ＢＭ−８形自動分析装置を用い、以下の測定条件で検体及び試料の吸光度測定を行った。
生理食塩水を測定して得た吸光度を試薬盲検値として、ＣＲＰキャリブレーターセットの各標準液を測定して得た吸光度から試薬盲検値を減算し、その値と標準液のＣＲＰ濃度とから検量線を作成した。その後、測定して得られた検体の吸光度から試薬盲検値を減算した値を検量線にあてはめて、ヒト血清中のＣＲＰ濃度を求めた。
試  料  ：1.25μｌ
第１試液：  75μｌ
第２試液：  25μｌ
測定方法：２ポイントエンド法（34−65）
主波長  ：571ｎｍ
【００５２】
(4)結果
得られたＣＲＰ濃度（mg／dL）を表２に示した。
【００５３】
比較例２  ＬＴオートワコーによるヒト血清中ＣＲＰ濃度の測定
試薬としてＬＴオートワコー（和光純薬工業（株）製）を用いた以外は、実施例２と同じ方法により測定を行った。得られたＣＲＰ濃度（mg／dL）を実施例１の結果と併せて示した。
【００５４】
【表２】
0004577747.tif 000006
【００５５】
表２の結果から明らかなように、本発明の方法による測定結果は、従来法であるＬＴオートワコーを用いた場合の測定値と同等であり、本発明による測定方法は、従来の方法と高い相関性を示すこと、言い換えれば、本発明のポリマーを用いることにより、非特異的反応を生じることなく、目的の測定対象物質を高精度に測定し得ることが分かる。
【００５６】
実施例３  ＬＩＡによる前立腺特異抗原（ＰＳＡ）の測定（ポリマーの種類による凝集促進作用への影響）
(1)抗ヒトＰＳＡ抗体感作ラテックス試液の調製
抗ヒトＰＳＡマウスモノクローナル抗体（和光純薬工業（株）製）0.8mgを含む50mMホウ酸緩衝液（pH7.1）0.5mlと、ポリスチレンラテックス〔粒径0.22μm、積水化学工業（株）〕を２%（W/V）となるように懸濁させた50mMホウ酸緩衝液（pH7.1）0.5mlとを混合し、25℃で２時間反応させた。その後、遠心分離により分離したラテックスを50mMホウ酸緩衝液（pH7.1）で洗浄し、該ラテックスを濃度が0.1％（W/V）となるように、ＢＳＡを0.5％（W/V）含有する50mMホウ酸緩衝液（pH7.3）中で懸濁し、得られたものを抗ヒトＰＳＡ抗体感作ラテックス試液とした。
【００５７】
(2)試料
ヒト精漿由来ＰＳＡ（和光純薬工業（株）製）を、ＢＳＡを1.0％（W/V）含有する10mM リン酸緩衝液（0.85％ＮａＣｌ）に溶解し、所定濃度のＰＳＡ溶液としたものを試料として用いた。
【００５８】
(3)試薬
▲１▼第１試液
凝集促進剤としての1.5％所定ポリマー、0.1％ＢＳＡ及び２％ＮａＣｌを含む100mM  ＨＥＰＥＳ−ＮａＯＨ緩衝液（ｐＨ7.0）、並びに凝集促進剤無添加試薬として、0.1％ＢＳＡ及び２％ＮａＣｌを含む100mM  ＨＥＰＥＳ−ＮａＯＨ緩衝液（ｐＨ7.0）を、第１試液とした。
▲２▼第２試液
(1)で調製した抗ヒトＰＳＡ抗体感作ラテックス試液を第２試液として用いた。
【００５９】
(4)測定方法
日本電子（株）ＢＭ−８形自動分析装置を用い、以下の測定条件で測定を行った。
試  料  ：   5μｌ
第１試液：  90μｌ
第２試液：  30μｌ
測定方法：２ポイントエンド法（34−65）
主波長  ：571ｎｍ
【００６０】
(5)結果
得られた吸光度（濁度）を表３に示した。尚、表中の値は、得られた吸光度から試薬盲検値を減算したものを10000倍にしたものである。
【００６１】
比較例３
本発明のポリマーの代わりに、ＰＥＧ6000を1.5％となるように用いた以外は実施例３と同じ試薬を用い、実施例３と同様の測定を行った。
得られた結果を、実施例３と併せて表３に示した。
【００６２】
【表３】
0004577747.tif 000007
【００６３】
表３の結果から明らかなように、PSAの測定に於いても、いずれの本発明のポリマーを用いても凝集促進作用が認められた。また、PEG6000の結果と比較すると、何れの本発明のポリマーもPEG6000よりも高い凝集促進作用を示し、中でもポリマー５が、これら３種の中で最も高い効果を示すことが分かった。
【００６４】
実施例４  ＬＩＡによるＰＳＡの測定（ポリマー濃度の凝集促進作用への影響）
(1)試料
ヒト精漿由来ＰＳＡ（和光純薬工業（株）製）を、ＢＳＡを1.0％（W/V）含有する10mM リン酸緩衝液（0.85％ＮａＣｌ）に溶解し、所定濃度のＰＳＡ溶液としたものを試料として用いた。
【００６５】
(2)試薬
▲１▼第１試液
凝集促進剤としての所定濃度のポリマー５、0.1％ＢＳＡ及び２％ＮａＣｌを含む100mM ＨＥＰＥＳ−ＮａＯＨ緩衝液（ｐＨ7.0）、並びに凝集促進剤無添加試薬として、0.1％ＢＳＡ及び２％ＮａＣｌを含む100mM ＨＥＰＥＳ−ＮａＯＨ緩衝液（ｐＨ7.0）を、第１試液とした。
▲２▼第２試液
実施例３で得られた調製した抗ヒトＰＳＡ抗体感作ラテックス試液を第２試液として用いた。
【００６６】
(3)測定方法
日本電子（株）ＢＭ−８形自動分析装置を用い、以下の測定条件で測定を行った。
試  料  ：   5μｌ
第１試液：  90μｌ
第２試液：  30μｌ
測定方法：２ポイントエンド法（34−65）
主波長  ：571ｎｍ
【００６７】
(4)結果
得られた吸光度（濁度）を表４に示した。尚、表中の値は、得られた吸光度から試薬盲検値を減算したものを10000倍にしたものである。
【００６８】
【表４】
0004577747.tif 000008
【００６９】
表４の結果から明らかなように、ＬＩＡの測定に於いて、ポリマー５による凝集促進作用はポリマー５の濃度の増加により高くなることが分かる。
【００７０】
実施例５  免疫比濁法（ＴＩＡ）によるＣＲＰの測定（ポリマー種類の凝集促進作用への影響）
(1)試料
生理食塩水（0.85％ＮａＣｌ）を試薬盲検測定用試料とし、ＣＲＰキャリブレーターセット（ＣＲＰ濃度：１、３、５、20、30mg/dL、和光純薬工業（株）製）をＣＲＰ特異的吸光度測定用試料として用いた。
【００７１】
(2)試薬
▲１▼第１試液
凝集促進剤としての１％所定ポリマー及び１％ＮａＣｌを含む50ｍＭ ＨＥＰＰＳＯ−ＮａＯＨ緩衝液（ｐＨ8.2）、並びに凝集促進剤無添加として、１％ＮａＣｌを含む50ｍＭ ＨＥＰＰＳＯ−ＮａＯＨ緩衝液（ｐＨ8.2）を、第１試液とした。
▲２▼第２試液
ＣＲＰαオートワコー抗体溶液（和光純薬工業（株）製）を第２試液とした。
【００７２】
(3)測定方法
日立製作所（株）製自動分析装置7150形を用い、以下の測定条件で測定を行った。
試  料  ： 10μｌ
第１試液：250μｌ
第２試液： 50μｌ
測定方法：２ポイントエンド（24-50）
主波長  ：340ｎｍ
副波長  ：700ｎｍ
【００７３】
(4)結果
得られた吸光度（濁度）を表５に示した。尚、表中のＣＲＰ濃度が1〜30（mg/dL）の欄には、得られた吸光度から試薬盲検値を減算したものを10000倍にした値を示し、また、試薬盲検欄には、精製水の吸光度が０となるように設定した条件で測定した試薬盲検値を、10000倍した値を示した。
【００７４】
【表５】
0004577747.tif 000009
【００７５】
表５の結果から、ＴＩＡによるＣＲＰの測定に於いても、いずれの本発明のポリマーを用いても凝集促進作用が認められた。また、いずれのポリマーにおいても、試薬盲検値は凝集促進剤無添加試薬を用いた場合と同等であり、非特異反応は見られなかった。
【００７６】
実施例６  ＴＩＡによるＣＲＰの測定（ポリマー濃度の凝集促進作用への影響）
(1)試料
生理食塩水（0.85％ＮａＣｌ）を試薬盲検測定用試料とし、ＣＲＰキャリブレーターセット（ＣＲＰ濃度：１、３、５、20、30mg/dL、和光純薬工業（株）製）をＣＲＰ特異的吸光度測定用試料として用いた。
【００７７】
(2)試薬
▲１▼第１試液
凝集促進剤としての所定濃度のポリマー１及び１％ＮａＣｌを含む50ｍＭ ＨＥＰＰＳＯ−ＮａＯＨ緩衝液（ｐＨ8.2）を第１試液とした。
▲２▼第２試液
ＣＲＰαオートワコー抗体溶液（和光純薬工業（株）製）を第２試液とした。
【００７８】
(3)測定方法
日立製作所（株）製自動分析装置7150形を用い、以下の測定条件で測定を行った。
試  料  ： 10μｌ
第１試液：250μｌ
第２試液： 50μｌ
測定方法：２ポイントエンド（24-50）
主波長  ：340ｎｍ
副波長  ：700ｎｍ
【００７９】
(4)結果
得られた吸光度（濁度）を表６に示した。尚、表中のＣＲＰ濃度が1〜30（mg/dL）の欄には、得られた吸光度から試薬盲検値を減算したものを10000倍にした値を示し、また、試薬盲検欄には、精製水の吸光度が０となるように設定した条件で測定した試薬盲検値を、10000倍した値を示した。
【００８０】
【表６】
0004577747.tif 000010
【００８１】
表６の結果から、ＴＩＡによる測定に於いて、ポリマー１を用いた場合、その凝集促進作用はポリマー１の濃度の増加に伴って高くなることが分かる。また、ポリマー濃度を増量しても試薬盲検値はほぼ一定であり、非特異反応は見られなかった。
【００８２】
実施例７  ヒト血清中ＣＲＰの測定
(1)試料
検体としてヒト血清２６例を用いた。検量線作成用試料には、生理食塩水（0.85％ＮａＣｌ）及びＣＲＰキャリブレーターセット（ＣＲＰ濃度：１、３、５、20、30mg/dL、和光純薬工業（株）製）を用いた。
【００８３】
(2)試薬
▲１▼第１試液
凝集促進剤としての2.5%ポリマー５及び１％ＮａＣｌを含む50ｍＭ ＨＥＰＰＳＯ−ＮａＯＨ緩衝液（ｐＨ8.2）を第１試液とした。
▲２▼第２試液
ＣＲＰαオートワコー抗体溶液（和光純薬工業（株）製）を第２試液とした。
【００８４】
(3)測定方法
ＣＲＰαオートワコーの測定方法に従い、日立製作所（株）製自動分析装置7150形を用い、以下の測定条件で測定を行った。
生理食塩水を測定して得た吸光度を試薬盲検値として、ＣＲＰキャリブレーターセットの各標準液を測定して得た吸光度から試薬盲検値を減算し、その値と標準液のＣＲＰ濃度とから検量線を作成した。その後、測定して得られた検体の吸光度から試薬盲検値を減算した値を検量線にあてはめて、ヒト血清の中のＣＲＰ濃度を求めた。
試  料  ： 10μｌ
第１試液：250μｌ
第２試液： 50μｌ
測定方法：２ポイントエンド（24-50）
主波長  ：340ｎｍ
副波長  ：700ｎｍ
【００８５】
比較例４  ＣＲＰαオートワコーによるヒト血清中ＣＲＰ濃度の測定
試薬の第１試液をＣＲＰαオートワコー（和光純薬工業（株）製）の第１試液を用いた以外は、実施例７と同じ方法により測定を行った。
得られたＣＲＰ濃度（mg／dL）と上記実施例７で得られたＣＲＰ濃度（mg／dL）の相関関係を図１に示した。尚、図１において、その相関式は、Y=1.010X-0.04で、相関係数はr=0.9999であった。
【００８６】
この結果から明らかなように、本発明の方法によるＣＲＰの測定結果は、従来法であるＣＲＰαオートワコーを用いた場合のＣＲＰ測定の結果と高い相関性を示すことこと、言い換えれば、本発明のポリマーを用いることにより、非特異的反応を生じることなく、目的の測定対象物質を高精度に測定し得ることが分かる。
【００８７】
実施例８  ＴＩＡによるリウマチ因子（ＲＦ）の測定（ポリマー種類の凝集促進作用への影響）
(1)試料
生理食塩水（0.85％ＮａＣｌ）を試薬盲検測定用試料とし、ＲＦ  ＴＩＡキャリブレーターセット（ＲＦ濃度：３７、７１、１５６、３１０、４９８ ＩＵ／ｍｌ、和光純薬工業（株）製）をＲＦ特異的吸光度測定用試料として用いた。
【００８８】
(2)試薬
▲１▼第１試液
凝集促進剤としての１％所定ポリマー及び４％ＮａＣｌを含む50ｍＭ  ＨＥＰＥＳ−ＮａＯＨ緩衝液（ｐＨ7.4）、並びに凝集促進剤無添加試薬として、４％ＮａＣｌを含む50ｍＭ  ＨＥＰＥＳ−ＮａＯＨ緩衝液（ｐＨ7.4）を、第１試液とした。
▲２▼第２試液
ＲＦ−ＨＡテストワコーＲＦ反応試液（和光純薬工業（株）製）を第２試液とした。
【００８９】
(3)測定方法
日立製作所（株）製自動分析装置7150形を用い、以下の測定条件で測定を行った。
試  料  ： 15μｌ
第１試液：250μｌ
第２試液： 75μｌ
測定方法：２ポイントエンド（24-50）
主波長  ：340ｎｍ
副波長  ：700ｎｍ
【００９０】
(4)結果
得られた吸光度（濁度）を表７に示した。尚、表中のＲＦ濃度が37〜498（IU/mL）の欄には、得られた吸光度から試薬盲検値を減算したものを10000倍にした値を示し、また、試薬盲検欄には、精製水の吸光度が０となるように設定した条件で測定した試薬盲検値を、10000倍した値を示した。
【００９１】
【表７】
0004577747.tif 000011
【００９２】
表７の結果から、ＴＩＡによるＲＦの測定に於いても、いずれの本発明のポリマーでも凝集促進作用が認められた。また、いずれのポリマーにおいても、試薬盲検値は凝集促進剤無添加試薬を用いた場合と同等であり、非特異反応は見られなかった。
【００９３】
実施例９  ＴＩＡによるリウマチ因子（ＲＦ）の測定（ポリマー濃度と凝集促進作用）
凝集促進剤として所定濃度のポリマー６を用いた以外は実施例８と同じ試薬を用い、実施例８と同様の測定を行った。
(１)結果
得られた吸光度（濁度）を表８に示した。尚、表中のＲＦ濃度が37〜498（IU/mL）の欄には、得られた吸光度から試薬盲検値を減算したものを10000倍にした値を示し、また、試薬盲検欄には、精製水の吸光度が０となるように設定した条件で測定した試薬盲検値を、10000倍した値を示した。
【００９４】
【表８】
0004577747.tif 000012
【００９５】
表８の結果から、ＴＩＡによる測定に於いて、ポリマー６を用いた場合、その凝集促進作用は、ポリマー６の濃度の増加に伴って高くなることが分かる。また、ポリマー濃度を増量しても試薬盲検値はほぼ一定であり、非特異反応は見られなかった。
【００９６】
【発明の効果】
以上述べたことから明らかな如く、本発明は、従来公知の凝集促進剤に比較して、凝集促進効果が同等若しくはそれ以上で、非特異的な濁りが生じ難く、且つ塩濃度の高い溶液中でも塩析され難い凝集促進剤を提供するものであり、該促進剤を免疫比濁法等の凝集を用いる免疫測定反応に用いることで、塩濃度の高い溶液中に於いても従来と同等又はそれ以上の凝集促進効果を発揮し、且つ非特異的な濁りが生じ難くいため精度の高い測定を可能にする。
【図面の簡単な説明】
【図１】実施例７で得られたＣＲＰ濃度（mg／dL）と比較例４で得られたＣＲＰ濃度（mg／dL）との相関関係を示した図である。
【図１】
0004577747.tif 000017